(57)【要約】【課題】  化粧料を略定量づつ塗布部材へ供給することができて、塗布する場合に化粧料が不足したり逆に化粧料が過剰になって従来のしごいた場合に飛散するようなことがなく、また、化粧料の残量が確認できて化粧料を最後まで使い切ることが可能となる。【解決手段】  前端に塗布部材とその後方にマスカラ等の流動性を有する化粧料を収容した化粧料容器が設けられ、更に化粧料の後方にポンピング式の加圧機構が設けられてなる化粧料塗布具であって、当該化粧料塗布具は、軸心に化粧料を導通する孔と軸外面の所要位置に前記孔と連通する吐出口とその吐出口の近傍に塗布用ブラシまたは櫛歯状の突片が設けられてなる塗布部材と、化粧料の後端に化粧料の後方への逆流を防止すると共に化粧料の蒸発が防止可能となるフォロアが設けられ、そのフォロアの後方にピストン作動してフォロアの後端を加圧するポンピング式の加圧機構が設けられてなる。【選択図】      図１
2005118367.tif 000002
【特許請求の範囲】
【請求項１】
前端に塗布部材とその後方にマスカラ等の流動性を有する化粧料を収容した化粧料容器が設けられ、更に化粧料の後方にポンピング式の加圧機構が設けられてなる化粧料塗布具であって、当該化粧料塗布具は、軸心に化粧料を導通する孔と軸外面の所要位置に前記孔と連通する吐出口とその吐出口の近傍に塗布用ブラシまたは櫛歯状の突片が設けられてなる塗布部材と、化粧料の後端に化粧料の後方への逆流を防止すると共に化粧料の蒸発が防止可能となるフォロアが設けられ、そのフォロアの後方にピストン作動してフォロアの後端を加圧するポンピング式の加圧機構が設けられてなる化粧料塗布具。
【請求項２】
化粧料容器は、前端に塗布部材と化粧料と化粧料の後端にフォロアが設けられた容器の後方に接合部が設けられてなる前軸筒と、後端にノック棒を有し、ポンピングによって圧縮空気を送り込むように加圧機構が配設された筒部の前方に接合部が設けられてなる後軸筒とで構成され、前記前軸筒の接合部に後軸筒の接合部が着脱可能に結合されると共に、フォロアの後端部が外気と遮断されてなる請求項１に記載の化粧料塗布具。
【請求項３】
化粧料容器をクリアードレン性に優れた材質あるいは表面処理された透明な樹脂成形品で設け、化粧料の残量の視認性を良好とする請求項１に記載の化粧料塗布具。
【請求項４】
ポンピング式の加圧機構は、フォロアの後方に常時は閉塞された状態の弁機構部とピストン作動して所定圧で弁機構部を開口するノック機構部とからなる請求項１に記載の化粧料塗布具。
【請求項５】
塗布部材は、軸心に化粧料を導通する孔と軸前端に軸方向に突設した複数の櫛歯とその櫛歯と櫛歯の間に前記軸心に連通する吐出口とその吐出口の後端に常時は封止状態となった通路を有する弾性体よりなり、加圧による弾性変形で通路が開通され、通路から化粧料が流出可能となる封止部材が設けられてなる請求項１に記載の化粧料塗布具。
【請求項６】
塗布部材は、軸心に化粧料を導通する孔と軸前端に軸方向に突設した複数の櫛歯とその櫛歯と櫛歯の間に前記軸心に連通する吐出口とその吐出口の後端に多孔質状で、微細な連続通路を有して常時は封止状態となった連続通路を有する弾性体よりなり、加圧による弾性変形で連続通路が開通され、連続通路から化粧料が流出可能となる封止部材が設けられてなる請求項１に記載の化粧料塗布具。
【請求項７】
塗布部材は、軸心に化粧料を導通する孔と軸周面の所要位置に前記孔と連通する吐出口とその吐出口の近傍に塗布用ブラシが設けられ、その吐出口の内面側に常時は封止状態となった通路を有する弾性体よりなり、加圧による弾性変形で通路が開通され、通路から化粧料が流出可能となる封止部材が設けられてなる請求項１に記載の化粧料塗布具。
【請求項８】
塗布部材は、軸心に化粧料を導通する孔と軸周面の所要位置に前記孔と連通する吐出口とその吐出口の近傍に塗布用ブラシが設けられ、その吐出口の内面側に多孔質状で、微細な連続通路を有して常時は封止状態となった連続通路を有する弾性体よりなり、加圧による弾性変形で連続通路が開通され、連続通路から化粧料が流出可能となる封止部材が設けられてなる請求項１に記載の化粧料塗布具。
【請求項９】
ポンピング式の加圧機構は、後軸筒内にテーパー状又は球面状の受け座が設けられ、その軸心に通気口が設けられると共に、スプリングによって受け座に密接するように弁体が設けられて、弁体の前方と後方の内部が分断状態と成される弁機構部と、その弁機構部の後方に、ノックスプリングによってノック棒が後軸筒に対して常時後方に附勢された状態で、且つ前後退可能に後軸筒に係止されると共に、ノック棒の外周部が後軸筒の内周部に密接するように設けられ、ノック棒を前進させた時に通気口とノック棒の前端との間に形成される空間部を圧縮するように設けられたノック機構部とで構成され、ノック棒を前進して空間部を適宜圧縮した状態で、前記弁体の密接状態が解除されるようにノック棒の前端弁体の後端に当接する凸部が設けられたことを特徴とする請求項４に記載の化粧料塗布具。
【発明の詳細な説明】
【技術分野】
【０００１】
本発明はマスカラ等の化粧料塗布具に関する。
【背景技術】
【０００２】
【特許文献１】実公平３−１６５６６  従来の一般的なマスカラ等の化粧料塗布具は、実公平３−１６５６６号公報などに代表されるように容器に化粧料を収容して、その容器に対し着脱自在なキャップにブラシ等の塗布部材を一体的に取り付け、不使用時にキャップを容器に被せている状態で、塗布部材を容器の内部に挿入して化粧料に浸漬している状態を保つ構造になっている。  また、化粧料を収容した容器は外面に印刷や塗装を施したり、不透明な素材を使用していて、内部を視認することができないようになっている。
【０００３】
上記のような従来の化粧料塗布具は、塗布部材に一定量の化粧料を供給することが難しく、例えばマスカラを睫毛などに塗布する場合に、マスカラが不足したり、逆にマスカラが過剰にブラシに付着して、しごいた時に飛散する等の問題がある。
また、化粧料の残量を確認できないという不便があるとともに、化粧料を最後まで使い切ることができないという不満がある。
【発明の開示】
【発明が解決しようとする課題】
【０００４】
本発明は上記の問題を解決すること、すなわち、化粧料を一定量づつ塗布部材へ供給することができて、塗布する場合に化粧料が不足したり逆に化粧料が過剰になってしごいた場合に飛散するようなことがなく、また、化粧料の残量が確認でき、化粧料を最後まで使い切ることが可能となる化粧料塗布具を提供可能とする。
又、塗布具の構成を塗布部材と化粧料が充填された前軸筒とポンピングによって圧縮空気を送り込むように加圧機構が配設された後軸筒に分けて、相互間に設けた接合部で着脱可能に結合することによって、前軸筒のみを消耗品となし、ユーザーに安価に化粧料塗布具を提供可能とする。
【課題を解決するための手段】
【０００５】
本発明は、上記課題を達成するために以下の構成を有する。
請求項１に記載の発明に係る化粧料塗布具は、前端に塗布部材とその後方にマスカラ等の流動性を有する化粧料を収容した化粧料容器が設けられ、更に化粧料の後方にポンピング式の加圧機構が設けられてなる化粧料塗布具であって、当該化粧料塗布具は、軸心に化粧料を導通する孔と軸外面の所要位置に前記孔と連通する吐出口とその吐出口の近傍に塗布用ブラシまたは櫛歯状の突片が設けられてなる塗布部材と、化粧料の後端に化粧料の後方への逆流を防止すると共に化粧料の蒸発が防止可能となるフォロアが設けられ、そのフォロアの後方にピストン作動してフォロアの後端を加圧するポンピング式の加圧機構が設けられてなる。
【０００６】
請求項２に記載の発明に係る化粧料塗布具は、請求項１に記載の化粧料塗布具に於いて、化粧料容器は、前端に塗布部材と化粧料と化粧料の後端にフォロアが設けられた容器の後方に接合部が設けられてなる前軸筒と、後端にノック棒を有し、ポンピングによって圧縮空気を送り込むように加圧機構が配設された筒部の前方に接合部が設けられてなる後軸筒とで構成され、前記前軸筒の接合部に後軸筒の接合部が着脱可能に結合されると共に、フォロアの後端部が外気と遮断されてなる。
【０００７】
請求項３に記載の発明に係る化粧料塗布具は、請求項１に記載の化粧料塗布具に於いて、化粧料容器をクリアードレン性に優れた材質あるいは表面処理された透明な樹脂成形品で設け、化粧料の残量の視認性を良好とする。
【０００８】
請求項４に記載の発明に係る化粧料塗布具は、請求項１に記載の化粧料塗布具に於いて、ポンピング式の加圧機構は、フォロアの後方に常時は閉塞された状態の弁機構部とピストン作動して所定圧で弁機構部を開口するノック機構部とからなる。
【０００９】
請求項５に記載の発明に係る化粧料塗布具は、請求項１に記載の化粧料塗布具に於いて、塗布部材は、軸心に化粧料を導通する孔と軸前端に軸方向に突設した複数の櫛歯とその櫛歯と櫛歯の間に前記軸心に連通する吐出口とその吐出口の後端に常時は封止状態となった通路を有する弾性体よりなり、加圧による弾性変形で通路が開通され、通路から化粧料が流出可能となる封止部材が設けられてなる。
【００１０】
請求項６に記載の発明に係る化粧料塗布具は、請求項１に記載の化粧料塗布具に於いて、塗布部材は、軸心に化粧料を導通する孔と軸前端に軸方向に突設した複数の櫛歯とその櫛歯と櫛歯の間に前記軸心に連通する吐出口とその吐出口の後端に多孔質状で、微細な連続通路を有して常時は封止状態となった連続通路を有する弾性体よりなり、加圧による弾性変形で連続通路が開通され、連続通路から化粧料が流出可能となる封止部材が設けられてなる。
【００１１】
請求項７に記載の発明に係る化粧料塗布具は、請求項１に記載の化粧料塗布具に於いて、塗布部材は、軸心に化粧料を導通する孔と軸周面の所要位置に前記孔と連通する吐出口とその吐出口の近傍に塗布用ブラシが設けられ、その吐出口の内面側に常時は封止状態となった通路を有する弾性体よりなり、加圧による弾性変形で通路が開通され、通路から化粧料が流出可能となる封止部材が設けられてなる。
【００１２】
請求項８に記載の発明に係る化粧料塗布具は、請求項１に記載の化粧料塗布具に於いて、塗布部材は、軸心に化粧料を導通する孔と軸周面の所要位置に前記孔と連通する吐出口とその吐出口の近傍に塗布用ブラシが設けられ、その吐出口の内面側に多孔質状で、微細な連続通路を有して常時は封止状態となった連続通路を有する弾性体よりなり、加圧による弾性変形で連続通路が開通され、連続通路から化粧料が流出可能となる封止部材が設けられてなる。
【００１３】
請求項９に記載の発明に係る化粧料塗布具は、請求項４に記載の化粧料塗布具に於いて、ポンピング式の加圧機構は、後軸筒内にテーパー状又は球面状の受け座が設けられ、その軸心に通気口が設けられると共に、スプリングによって受け座に密接するように弁体が設けられて、弁体の前方と後方の内部が分断状態と成される弁機構部と、その弁機構部の後方に、ノックスプリングによってノック棒が後軸筒に対して常時後方に附勢された状態で、且つ前後退可能に後軸筒に係止されると共に、ノック棒の外周部が後軸筒の内周部に密接するように設けられ、ノック棒を前進させた時に通気口とノック棒の前端との間に形成される空間部を圧縮するように設けられたノック機構部とで構成され、ノック棒を前進して空間部を適宜圧縮した状態で、前記弁体の密接状態が解除されるようにノック棒の前端弁体の後端に当接する凸部が設けられたことを特徴とする。
【発明の効果】
【００１４】
本発明の化粧料塗布具は、塗布部材に対し化粧料を略定量づつ供給することができるので、塗布する場合に化粧料が不足する事態や、過剰になってしごいたときに飛散する従来のような事態を回避することができる。そして、化粧料容器内の化粧料の残量を確認することができる利便性があるとともに、化粧料を最後まで使い切って無駄を省くことが可能となる。
又、塗布部材と化粧料が充填された前軸筒とポンピングによって圧縮空気を送り込むように加圧機構が配設された後軸筒が着脱可能に結合されることによって、前軸筒のみを消耗品となすことが可能となり、ユーザーに対し安価に提供することが可能となる。
【発明を実施するための最良の形態】
【００１５】
以下、図に基づき本発明の実施形態について説明する。まず、本発明の化粧料塗布具１は、通常は塗布部材３を密嵌するキャップが設けられ、塗布部に残留した化粧料の乾燥を防止する。また、必要に応じてキャップ内に塗布部に付着した化粧料が固化しないように溶剤あるいは化粧料を含んだスポンジ状のものを設けて、塗布部を被覆したり、化粧料を均一に分散させるためのしごき部が設けられる。
【００１６】
前軸筒２は樹脂成形品（通常は透明樹脂）で、前端に塗布部材３を一体に有している。  図１に示すように、塗布部材３は、軸心に化粧料１０を導通する孔と軸前端に軸方向に突設した複数の櫛歯５とその櫛歯と櫛歯の間に前記軸心に連通する吐出口６とその吐出口６の後端に常時は封止状態となった通路を有する弾性体よりなり、加圧による弾性変形で通路が開通され、通路から化粧料が流出可能となる封止部材４が設けられている。
また、塗布部材３は、多孔質状で、微細な連続通路を有して常時は封止状態となった連続通路を有する弾性体よりなり、加圧による弾性変形で連続通路が開通され、連続通路から化粧料が流出可能となるように設けることができる。
又、図６は封止部材３３の前方の筒部に所要箇所で貫通された通路３４が設けられた状態を示している。
【００１７】
封止部材４の後方には、化粧料１０と化粧料１０の後端に化粧料の消耗と共に化粧料と追随するグリース状のフォロア１１が充填されている。又、フォロア１１は化粧料と相溶性が無く、化粧料の蒸発を防止する性能を有している。又、必要に応じてフォロア内にフォロアと略同等の比重を有する樹脂製のフォロア棒１２が浸漬される。尚、フォロアは例えばゲル状物質、未加硫のシリコーンゴムなどで設けることが可能である。又、フォロアの後方に接合部（雌螺子部２ｂ）が設けられている。尚、前軸筒２は一例としてＰＰ樹脂やナイロン樹脂成形品等が使用される。（図４はフォロア２４のみで示されている。）
【００１８】
後軸筒１３は、後端にノック棒１７を有し、ポンピングによって圧縮空気を送り込むように加圧機構が配設された筒部の前方に接合部（雄螺子部１３ｇ）が設けられ、さらに前方の外周部に円周状の凸部となされたシール部１３ｈが形成されている。このシール部１３ｈは、後軸筒１３が前軸筒２に螺合等によって結合されたときに、前軸筒の内面に摺接して気密効果を上げることが可能となる。
又、ポンピング式の加圧機構は、弁機構部と、弁機構部の後方に形成される空間部を圧縮するように設けられたノック機構部とで構成されている。
【００１９】
弁機構部は以下のように構成されている。
先ず、ブッシュ１４は、軸心部に前端から弁室となる孔が設けられ、その孔の後端にテーパー状又は球面状の受け座１４ｂが形成されると共に、やや小径と成した通気口１４ｃが後端まで貫通して設けられており、球状の弁体１５が受け座１４ｂｃに密接する状態に弁体と後軸筒１３の内孔前方に設けられた内段部１３ｆとの間にスプリング１６が敷設されると共に、ブッシュ１４が軸筒１３の内孔前方に別に設けられた内段部１３ｅに前端が当接した状態で後軸筒１３の内孔に密嵌されて弁機構部が構成される。
以上によって、常時は、弁体１５が受け座１４ｂに密接して通気口１４ｃが閉塞され、後軸筒の内孔を気密状に分断する。
【００２０】
又、弁機構部の後方にノック機構部が配設される。
ノック機構部は以下のように構成されている。
後軸筒１３の後端部側面に、後端側から先方に向かって細くなるテーパー状のスリット部１３ｃが形成され、その前端に段部１３ｄを有して軸方向前方所定長さのスリット部１３ｂが形成されている。
【００２１】
又、ノック棒１７は、後端に鍔部とその前方に軸部が形成され、鍔部の前端に段部１７ｂが設けられ、軸部外周の略中間に突部１７ａと軸部外周の略前端に周状の溝部１７ｃが設けられて、その溝部１７ｃに一例としてゴム等の弾性体や弾性のある成形樹脂などより成るシールリング１８が止着されている。尚、シールリング１８は、気密性、滑り性のよいものが選択される。又、他潤滑剤を介在させるなど配慮される。又、シールリング部は軸部外周に一体に形成することも可能である。
又、ノック棒１７の前端には、前端から後方に向かって適宜深さの凹部１７ｅが形成され、その凹部１７ｅの軸心に軸部１７ｄが形成され、更に軸部１７ｄの前方にノック棒の前端面よりさらに突出した凸部１７ｆが形成されている。
【００２２】
又、ノック棒１７は、後軸筒１３の後端から挿入され、上記凹部１７ｅの後端とブッシュ１４の後端との間にノックスプリング１９が敷設されると共に、突部１７ａが上記テーパー状のスリット部１３ｃを弾性的に拡開して、突部１７ａが段部１３ｄの前面に係止され、ノックスプリング１９によって後軸筒１３に対してノック棒１７は常時後方に附勢される。又、ノック棒の軸部前方が後軸筒の後端孔に嵌入し、シールリング１８の外周部が後端孔の内周部に摺接する。そのとき、シールリング１８は、スリット部１３ｂの略前端にかかる直前の状態に位置しており、従って、通気口１４ｃとノック棒１７の前端との間に形成される空間部２０は外気と連通している。
【００２３】
即ち、ノック棒１７の前進作動の直前において、後軸筒１３の空間部２０は外気と連通され、ノック棒１７が適宜前進した直後においてシールリング１８の外周部が後軸筒の内周部に密接することで外気と遮断され、空間部２０の縮小と共に加圧されるよう構成されている。又、ノック棒１７を前進して空間部２０を適宜圧縮した状態で、弁体１５の受け座１４ｂとの密接状態が解除されるようにノック棒１７の前端に設けられた凸部１７ｆが弁体１５の後端に当接する。
【００２４】
以上で、前軸筒２の雌螺子部２ｂに後軸部１３の雄螺子部１３ｇを螺合することによって、フォロア１１の後端部空間が外気と遮断される。
尚、前軸筒と後軸筒を結合させる接合部は、螺子部に限らず、凹凸部の弾性係合によっても達成することが可能である。
【００２５】
又、図５は化粧料塗布具の加圧機構において、別の形態を示している。
当該実施例は、中央の鍔部２６ｃの後方に後軸部２６ａと、鍔部前方に雌螺子部２６ｂとシール部２６ｆが一体に形成された継ぎ手２６が、その鍔部２６ｃを後軸筒２５の前端に当接し、後軸部２６ａを後軸筒の内孔に嵌着して設けられている。又、継ぎ手２６の軸心に形成された内孔部略後端に受け座２６ｄと更に後端に貫通して通気口２６ｅが設けられ、その受け座２６ｄに密接するように弁体２７がスプリング２８で押圧され、そのスプリング２８の前端に当接して圧入筒２９が継ぎ手２６の前端側内孔に固着されて、圧入筒２９の後端部３０と受け座２６ｄとの間に弁室が形成されると共に、圧入筒２９の軸心には弁室に連通する貫通孔が設けられて、弁機構部が構成されている。尚、ノック機構部については上述した実施例と同様に構成されている。又、弁機構部とノック機構部とで構成されるポンピング式の加圧機構の基本構成を上記で説明したが、弁機構部やノック機構部は設計都合によって種々の形態が採用可能である。
【００２６】
又、化粧料が充填された前軸筒の後端に化粧料やフォロアの蒸発や乾燥を防止するためにシール部（一例として、例えばアルミ蒸着などを施したフィルムを前軸筒の後端面に溶着あるいは接着して）を設けて、加圧機構が配設された後軸筒を結合する際に、シール部を除去あるいはフィルム状で有れば後軸筒の接合部前端で突き破って結合することによって、前軸筒のみを消耗品となすことが可能となる。
【００２７】
図７は前軸筒の別の形態を示している。
塗布部材３８は、軸心に化粧料１０を導通する孔と軸周面の所要位置に前記孔と連通する吐出口４１とその吐出口４１の近傍に塗布用ブラシ４０が設けられ、その吐出口の内面側に常時は封止状態となった通路を有する弾性体よりなり、加圧による弾性変形で通路が開通され、通路から化粧料が流出可能となる封止部材３９が設けられている。
また封止部材３９は、多孔質状で、微細な連続通路を有して常時は封止状態となった連続通路を有する弾性体よりなり、加圧による弾性変形で連続通路が開通され、連続通路から化粧料が流出可能となるように設けることができる。
【００２８】
本発明の化粧料塗布具は、塗布部材が前軸筒の前端に一体に設けられているが別体で取りつけることは自由である。
又、上述した前軸筒と後軸筒を一体となすことも自由である。
ポンピング式の加圧機構は、弁機構部とノック機構部で構成されることが望ましいが、ノック機構部のみで構成することも自由である。
【００２９】
（作用）
次に、ポンピング式の加圧機構の作用を以下に説明する。図２に示す状態からノック棒１７の後端を押圧して前進すると、図３に示すように、シールリング１８の外周部が後軸筒１３の内周部全周に密接した時点で空間部２０が外気と遮断されると共に、ノック棒１７が更に前進することによってシールリング１８の外周部が後軸筒１３の内周部１３ａに密接して摺動し、空間部２０の縮小と共に内圧が上昇する。又、ノック棒１７を前進して空間部２０を適宜圧縮した状態で、弁体１５の受け座１４ｂとの密接状態が解除されるようにノック棒１７の前端に設けられた凸部１７ｆが弁体１５の後端に当接し、加圧された空気が弁体の前方に押し込まれることによって、フォロア１１の後端が加圧される。
【００３０】
又、化粧料の特性などによって適正な加圧力が設定される。その場合、シールリング１８の外周部が後軸筒１３の内周部全周に密接する時の空間部２０の容積とノック棒１７の前端に設けられた凸部１７ｆが弁体１５の後端に当接した時の空間部の容積を幾らにするか、シール部のリーク値などを勘案して設定することが可能となる。
凸部１７ｆで弁体１５の後端に当接することによって、凸部１７ｆを押圧するスプリング１６の強さが所定の強さより強い方にばらついても加圧力は変わらないこととなる。
凸部１７ｆが弁体１５に当接して弁体が加工を開始する時点からフォロア側に加圧空気が流入し初め、その後のノック棒の下降で加圧空気が流入すると共に封止部材の閉塞状態の通路を開口して略定量の化粧料が吐出孔から流出される。又、ノック棒が後退すると同時にやや減圧されて通路が閉塞される。
【００３１】
又、フォロア棒は、インキ収容部が大径である場合に使用される。即ち、グリース状のフォロアは、インキ収容部が大径の場合に衝撃などの影響で変形を受け破壊されやすいという問題がある。フォロア内にフォロアと略同等の比重を有する樹脂製のフォロア棒を浸漬させることにより剛性を上げることが可能となる。
【００３２】
前軸筒２は内部に収容した化粧料の残量を視認できるように透明な素材を用いて形成する。尚、前軸筒の外面に印刷や塗装を施す場合は、化粧料の残量を確認できるように非印刷部または非塗装部を設けることができる。また、前軸筒の外面にラベル等を貼る場合は化粧料の残量を確認できるように、そのラベル等に窓部を設けることができる。また、前軸筒をクリアードレン性に優れた材質あるいは表面処理された透明な樹脂成形品で設けることで、視認性は極めて良好なものとなる。
【００３３】
また、塗布部材の吐出孔６の内面側に微細な通路を有した弾性体を設けることで化粧料が所定圧以上に加圧されない状態では通路が封止状態となって通気孔から化粧料の乾燥が防止されるのでキャップを軽微なものとなしたり、場合によっては不要とすることが可能となる。
【図面の簡単な説明】
【００３４】
【図１】本発明の実施例である化粧料塗布具の塗布部側を示す断面図である。
【図２】実施例である化粧料塗布具の加圧機構部側を示す縦断面図である。
【図３】実施例である化粧料塗布具の加圧機構部の作動状態を拡大して示した断面図である。
【図４】実施例である化粧料塗布具の加圧機構部側を示す別の縦断面図である。
【図５】実施例である化粧料塗布具の加圧機構部側を示す別の縦断面図である。
【図６】実施例である化粧料塗布具の塗布部側を示す別の縦断面図である。
【図７】実施例である化粧料塗布具の塗布部側を示す別の縦断面図である。
【符号の説明】
【００３５】
１        化粧用塗布具
２      前軸筒
２ｂ    雌螺子部
３      塗布部材
４      封止部材
５      櫛歯
６      吐出孔
１０    化粧料
１１    フォロア
１２    フォロア棒
１３    後軸筒
１３ａ  内周部
１３ｂ  スリット部
１３ｃ  テーパー状のスリット部
１３ｄ  段部
１３ｅ  内段部
１３ｆ  内段部
１３ｇ  雄螺子部
１３ｈ  シール部
１４    ブッシュ
１４ａ  後端部
１４ｂ  受け座
１４ｃ  通気口
１５    弁体
１６    スプリング
１７    ノック棒
１７ａ  突部
１７ｂ  段部
１７ｃ  溝部
１７ｄ  軸部
１７ｅ  凹部
１７ｆ  凸部
１８    シールリング
１９    ノックスプリング
２０    空間部
２１    前軸筒
２４    フォロア
２５    後軸筒
２６    継ぎ手
２６ａ  後軸部
２６ｂ  雌螺子部
２６ｃ  鍔部
２６ｄ  受け座
２６ｅ  通気口
２６ｆ  シール部
２７    弁体
２８    スプリング
２９    圧入筒
３０    後端部
３１    前軸筒
３２    塗布部材
３３    封止部材
３４    通路
３５    櫛歯
３６    吐出孔
３７    前軸筒
３８    塗布部材
３９    封止部材
４０    塗布ブラシ
４１    吐出孔
【図１】
2005118367.tif 000003
【図２】
2005118367.tif 000004
【図３】
2005118367.tif 000005
【図４】
2005118367.tif 000006
【図５】
2005118367.tif 000007
【図６】
2005118367.tif 000008
【図７】
2005118367.tif 000009